(57)【要約】  ヘッド部分（１０２）と、このヘッド部分（１０２）から延びたシャフト（１０４，３０２）とを備えるロックボルト（１００，２００，３００）である。シャフト（１０４）は、ネジ付きでマルチローブ型プロフィールを持つ部分を少なくとも有する。カラー（１２０，３０４）は、マルチローブ型ネジ付き部分（１０４）上にスエージ加工可能であり、ローブ（１１４）は、その後にカラー（１２０，３０４）が振動してネジ部から緩むことがないようにする。マルチローブ型プロフィールを持つセクションもネジ付きであるという事実は、カラー（１２０，３０４）（又は通常のネジ付きナット）が選択的に回転可能に取り外され、そしてロックボルト（１００，２００，３００）上に再設置され得るようにする。スエージ加工前に、カラー（１２０，３０４）は初め、円筒孔（１３０）、又はロックボルト（１００，２００，３００）のマルチローブ型部分のプロフィールに概ね対応していることが好ましい多面孔（１３０）を有することがある。ロックボルト（１００，２００）は、脆いピンテール（１０６，２０２）を有することもある。この場合、マルチローブ型ネジ付き部分は、ボルトのヘッド部分と脆いピンテールとの間に配設される。その代わりに、ロックボルト（３００）は、ピンテールレスであってもよい。カラー（３０４）をピンテールレスロックボルト（３００）上に設置するための工具（３１０）もまた説明される。【特許請求の範囲】
【請求項１】
ヘッド部分と、このヘッド部分から延びたシャフトとを備え、このシャフトは、ネジ付きでマルチローブ型断面プロフィールを持つ部分を少なくとも有することを特徴とするピンテールレスロックボルト。
【請求項２】
シャフトのネジ付きでマルチローブ型断面プロフィールを持つ部分は、複数の高い点を有する請求項１に記載のピンテールレスロックボルト。
【請求項３】
シャフトのネジ付きでマルチローブ型断面プロフィールを持つ部分は、５つの高い点を有する請求項１に記載のピンテールレスロックボルト。
【請求項４】
ロックボルトは、カラーが、シャフトのネジ付きでマルチローブ型断面プロフィールを持つ部分の上にスエージ加工可能であるように構成され、そしてシャフト上の高い点は、その後にカラーが振動してシャフトから緩むことがないようにする請求項１に記載のピンテールレスロックボルト。
【請求項５】
シャフトのネジ付き部分は、カラーが選択的に回転可能に取り外され、そしてロックボルト上に再設置され得るように構成されている請求項４に記載のピンテールレスロックボルト。
【請求項６】
シャフトのネジ付き部分は、スエージ加工されたカラーがシャフトから取り外されると、ネジ付きナットがロックボルト上に設置可能となるように構成されている請求項４に記載のピンテールレスロックボルト。
【請求項７】
ロックボルトシステムであって、ピンテールレスロックボルトと、カラーとを備え、ピンテールレスロックボルトは、ヘッド部分と、このヘッド部分から延びたシャフトと有し、シャフトは、ネジ付きでマルチローブ型断面プロフィールを持つ部分を少なくとも有し、カラーは、ロックボルトのシャフトのネジ付きでマルチローブ型断面プロフィールを持つ部分の上にスエージ加工可能であることを特徴とするロックボルトシステム。
【請求項８】
シャフトのネジ付きでマルチローブ型断面プロフィールを持つ部分は、複数の高い点を有する請求項７に記載のロックボルトシステム。
【請求項９】
シャフトのネジ付きでマルチローブ型断面プロフィールを持つ部分は、５つの高い点を有する請求項７に記載のロックボルトシステム。
【請求項１０】
シャフトのネジ付き部分は、カラーが選択的に回転可能に取り外され、そしてロックボルト上に再設置され得るように構成されている請求項７に記載のロックボルトシステム。
【請求項１１】
シャフトのネジ付き部分は、スエージ加工されたカラーがシャフトから取り外されると、ネジ付きナットがロックボルト上に設置可能となるように構成されている請求項７に記載のロックボルトシステム。
【請求項１２】
カラーは、円筒形の透孔を有する請求項７に記載のロックボルトシステム。
【請求項１３】
カラーは、シャフトのネジ付きでマルチローブ型断面プロフィールを持つ部分に対応した多面の透孔を有する請求項７に記載のロックボルトシステム。
【請求項１４】
ロックボルトのシャフトと、カラーは、カラーの透孔の一部分だけがロックボルト上にスエージ加工されるように構成されている請求項７に記載のロックボルトシステム。
【請求項１５】
ピンテールレスロックボルトを設置する方法であって、この方法は、ピンテールレスロックボルトを与える工程を備え、このピンテールレスロックボルトは、
ヘッド部分と、このヘッド部分から延びたシャフトとを備え、このシャフトはネジ付きでマルチローブ型断面プロフィールを持つ部分を少なくとも有し、この方法はまた、カラーをロックボルト上にスエージ加工する間にシャフトのネジ付き部分を非回転的に把持して引っ張る工程を備えることを特徴とする方法。
【請求項１６】
シャフトのネジ付き部分を非回転的に把持して引っ張る工程は、複数のジョーを使用してシャフトのネジ付き部分を非回転的に把持して引っ張る工程を含む請求項１５に記載の方法。
【請求項１７】
複数のジョーを使用してシャフトのネジ付き部分を非回転的に把持して引っ張る工程は、前記ジョーを有する工具を使用する工程を含み、この方法は更に、前記工具を与える工程を備え、前記工具は、スエージ加工操作中にカラーの一部分を受け入れるように構成された凹部を有するノーズピースと、このノーズピース内に配設されると共に可動ピストンと係合するように構成された外側スリーブとを備え、前記ジョーの各々は、内部ネジ付き部分を有し、前記ジョーは、ノーズピースに対して並進するが、ノーズピースに対して非回転的であるように構成されている請求項１６に記載の方法。
【請求項１８】
前記工具を与える工程は、外側スリーブ内に配設される内側スリーブ、及びこの内側スリーブ内に少なくとも部分的に配設されると共にジョーの間を延びるピンを与える工程と、前記内側スリーブ内に配設されると共に前記ピンに係合するスプリングを与える工程とを含む請求項１７に記載の方法。
【請求項１９】
前記工具を与える工程は、前記ジョーの各々がロックボルトのネジ付き部分上のネジ部に対応した内部ネジを持つようにする工程を含む請求項１７に記載の方法。
【請求項２０】
ピンテールレスロックボルト上にカラーをスエージ加工するための工具であって、このピンテールレスロックボルトは、ヘッド部分と、このヘッド部分から延びたシャフトとを有し、このシャフトは、ネジ付き部分を少なくとも有し、前記工具は、スエージ加工操作中にカラーの一部分を受け入れるように構成された凹部を有するノーズピースと、このノーズピース内に配設されると共に可動ピストンと係合するように構成された外側スリーブと、この外側スリーブ内に部分的に保持された複数のジョーとを備え、前記ジョーの各々は、内部ネジ付き部分を有し、前記ジョーは、シャフトのネジ付き部分を非回転的に把持して引っ張るように構成され、前記工具は、前記ジョーがノーズピースに対して並進するが、ノーズピースに対して非回転的となるように構成されていることを特徴とする工具。
【請求項２１】
外側スリーブ内に配設される内側スリーブと、この内側スリーブ内に少なくとも部分的に配設されると共にジョーの間を延びるピンと、前記内側スリーブ内に配設されると共に前記ピンに係合するスプリングとを更に備える請求項２０に記載の工具。
【請求項２２】
前記ジョーの各々は、ロックボルトのネジ付き部分上のネジ部に対応した内部ネジを有する請求項２０に記載の工具。
【請求項２３】
ノーズピースは、内部透孔を有し、この透孔は、第１のセクションを有し、この第１のセクションは、第２のセクションよりも大きな内径であり、外側スリーブは、第１の、大径セクションに配設され、外側スリーブは、概ね円筒形であると共に内部透孔を有し、外側スリーブの端部は、可動ピストンに螺合可能に取り付けるための内部ネジを有する請求項２０に記載の工具。
【請求項２４】
ジョーは、内側スリーブ内に配設された拡大肩部を有し、ジョーは、外側スリーブの端部の開口部を通して、ノーズピースの透孔の第２の、小径セクション内へ延びている請求項２１に記載の工具。
【請求項２５】
ピンの拡大ヘッド部分は、概ね内側スリーブの孔内に保持され、ピンのシャンク部分は、３つのジョーの間に設けられた空間を通して延び、そしてピンのヘッドに近接したジョーの端部に近接したジョー間の空間が小さ過ぎて、ピンのヘッドがジョー間の空間内へ進むことができないので、ピンのヘッドは、概ね内側スリーブ内に保持され、またピンのヘッドは、概ね内側スリーブの孔内に保持されると共に概ねその中を並進して、スプリングによって与えられる圧縮力を受けることができる請求項２１に記載の工具。
【請求項２６】
内側スリーブは、スナップリングによって外側スリーブ内に保持され、そして内側スリーブの端部は、ジョーに接触する請求項２１に記載の工具。
【発明の詳細な説明】
【技術分野】
【０００１】
［関連出願（優先権主張）］
この出願は、２００４年８月３０日に出願された米国仮出願第６０／６０５，７０４号、２００５年４月５日に出願された米国仮出願第６０／６６８，２５５号、及び２００５年６月７日に出願された米国特許出願第１１／１４６，６７８号の利益を主張する。
【背景技術】
【０００２】
本発明は、一般的にロックボルトに関し、特にボルト上にスエージ加工されたカラーに相対して設置されるように構成されたマルチローブ型ロックボルトに関する。
【０００３】
いくつかの従来のロックボルトは脆いピンテールを有するが、他のロックボルトはそうではない。図１に示すように、脆いピンテール１２を有する典型的なロックボルト１０は、ヘッド１４と、ネジ付きシャフト１６と、環状リブ１８を持つ脆いピンテール１２とを有し、ヘッド１４は、ボルト１０の一端２０に位置し、脆いピンテール１２は、ボルト１０の他端２２に位置し、そしてネジ付きシャフト部分１６は、ヘッド１４と脆いピンテール１２との間に位置する。図１に示すように、最初に脆いピンテール１２及びネジ付きシャフト１６は、２以上のワークピース２８，３０に設けられた開口２４，２６を通して挿入され、そしてカラー３２は、ボルト１０上にスライドされ、ネジ付きシャフト１６付近に位置決めされる。それから、図２に示すように、設置工具４０がカラー３２及び脆いピンテール１２に係合される。具体的には、図３に示すように、設置工具４０のジョー４１がピンテール１２を把持して、（矢印４２によって表されるように）引っ張る。このとき、設置工具４０のアンビル４３は、カラー３２を（矢印４４によって表されるように）押し下げて、カラー３２がボルト１０上にスエージ加工されるようにする。このスエージ加工によって、カラー３２は変形して、ボルト１０のネジ付きシャフト１６を概ね把持する。カラー３２がスエージ加工されると、ピンテール１２は、それが図４に示すように破壊されるまで、継続して引っ張られて、ワークピース２８，３０に設置され且つカラー３２によって固定されたボルト１０を残す。
【０００４】
そのようなロックボルトを設置するためのそのようなロックボルト及び工具は、この技術分野では一般的に知られている。例えば、脆いピンテールを持つロックボルトを設置するための典型的な工具は、米国特許第２，１１４，４９３号に開示されている。この工具は、カラーをスエージ加工するためのアンビルと、ピンテールを把持して引っ張るためのジョーとを有する。
【０００５】
いくつかの従来技術のロックボルトのネジ、例えば図１〜４に示されているネジは、螺旋状である。ロックボルトが脆いピンテールを有するか否かに関係なく、螺旋状ネジは、ロックボルトが設置される（即ち、カラーがボルト上にスエージ加工される）と、カラーを回転してロックボルトから外し、その後ロックボルト上に螺合しなおす（か、新しいナットをロックボルト上に螺合する）ことができるようにする。標準的な螺旋状ネジを有するロックボルトを与えることに関連した問題は、カラーがロックボルト上にスエージ加工されると、振動して緩み易くなることである。
【０００６】
米国特許第２，５３１，０４８号は、この問題を解決しようとするロックボルトを開示している。このロックボルトは、標準的な螺旋状ネジを有する代わりに、環状リブを有する。螺旋状ではなく環状であることにより、カラーがリブ上にスエージ加工されると、カラーは振動で緩みにくくなる。しかしながら、このロックボルトは、新たな欠点を呈する。即ち、カラーがリブ上にスエージ加工されると、カラーは、回転してリブから外されるのではなく、破壊してリブから外さなければならない。そのように、カラーは、ロックボルトから取り外し、そして回転してその上に戻すことができない。事実、リブが環状であることにより、新しいカラーでさえもロックボルト上に螺合させることができない。この代わりに、スエージ加工プロセスは、ロックボルトを再固定するために繰り返されなければならない。
【０００７】
上述したように、いくつかのロックボルトは、脆いピンテールを有しない。そのようなロックボルトの利点は、回収がない、即ち破棄されなければならない壊れたピンテールがない点である。そのようなロックボルトを設置するための従来技術のシステムが、米国特許第５，３１５，７５５号に開示されている。このシステムは、ネジ付きナットがロックボルトのネジ付き部分の端部上に向かって回転され、そしてカラーがスエージ加工されるときに、ナットがロックボルトを引っ張るようにする。このシステムは、壊れるピンテールを消去するが、スエージ加工を実施することに使用される工具が複雑で、多数の部品を含み、失敗し易く、有意な保守を必要とする。脆いピンテールを持たないロックボルト上へのカラーのスエージ加工を実施するための単純なシステム及び工具に対する必要性が存在する。
【０００８】
［目的及び要約］
本発明の実施形態の１つの目的は、設置後にカラーが振動して緩まないようにし、更にカラーが選択的に回転可能に取り外され、そしてロックボルト上に再設置され得るようにするロックボルトを提供することにある。
【０００９】
簡単に、そして前述の目的に少なくとも１つに従って、本発明の実施形態は、ロックボルトを提供する。このロックボルトは、ヘッド部分と、このヘッド部分から延びたシャフトとを備える。シャフトは、ネジ付きでマルチローブ型プロフィールを持つ部分を少なくとも有する。カラーは、マルチローブ型ネジ付き部分上にスエージ加工可能であり、ローブ又は高い点は、その後にカラーが振動してネジ部から緩むことがないようにする。マルチローブ型プロフィールを持つセクションもネジ付きであるという事実は、カラーが選択的に回転可能に取り外され、そしてロックボルト上に再設置され得るようにする（か、スエージ加工されたカラーが取り外されると、通常のネジ付きナットがロックボルト上に設置され得るようにする）。スエージ加工前に、カラーは初め、円筒孔、又はロックボルトのマルチローブ型部分のプロフィールに概ね対応していることが好ましい多面孔を有することがある。ロックボルトは、脆いピンテールを有することもある。この場合、マルチローブ型ネジ付き部分は、ボルトのヘッド部分と脆いピンテールとの間に配設される。脆いピンテールは、環状リブを有するように設けることができる。その代わりに、脆いピンテールは、ロックボルトのマルチローブ型ネジ付き部分と同じネジ部を有するように設けることができる。
【００１０】
その代わりに、マルチローブ型ロックボルトは、脆いピンテールを有しないように与えられる。この場合、ボルトのネジ付き部分は、ロックボルト上へのカラーのスエージ加工を実施するために把持され、引っ張られる。本発明の実施形態は、ピンテールレスロックボルト上へのカラーのスエージ加工を実施するためのシステムを提供する。
【００１１】
この発明の構成及び動作の組織及び手法は、その更なる目的及び利点と共に、添付図面に関連してなされる以下の説明を参照することによって、最も良く理解される。図面では、同様の参照符号は、同様の要素を識別している。
【００１２】
［説明］
本発明は異なる形の実施形態に受け入れ可能であるが、その実施形態が図面に示され、ここで詳細に説明される。本説明は、発明の原理の例示として考えられるべきものであって、発明をここに図示され説明されたものに限定することを意図されたものではない、と理解されるべきである。
【００１３】
図５〜７は、本発明の実施形態に係るロックボルト１００描いている。このロックボルト１００は、図１〜４に示された従来技術のロックボルト１０と同様であって、ロックボルト１００は、ヘッド１０２と、ネジ付きシャフト１０４と、環状リブ１０８を持つ脆いピンテール１０６とを有し、ヘッド１０２は、ボルト１００の一端１１０に位置し、脆いピンテール１０６は、ボルト１００の他端１１２に位置し、そしてネジ付きシャフト部分１０４は、ヘッド１０２と脆いピンテール１０６との間に位置する。図５〜７に示されたロックボルト１００と図１〜４に示された従来技術のロックボルト１０との違いは、図５〜７に示されたロックボルト１００のネジ付きシャフト１０４は、単に螺旋状にネジ付けされているのではなく、マルチローブ型又は多面のネジ付き部分を有する、という事実にある。このことは、ネジが、図８〜１０に示すように、高い点１１４と、低い点１１６とを有することを意味する。
【００１４】
例えば、ネジ部は、（例えば図８〜１０に示されているように）５つのローブ又は高い点を持つように与えられる。これは、例えば米国特許第３，８７５，７８０号及び第３，９３５，７８５号（これらの双方は完全に参照によりここに組み入れられる）に開示されているようなＨＰ−５ネジである。その代わりに、ネジ部分は、５より多いか少ない数のローブを持つように与えられる。例えば、ネジ付き部は、クワドローブ型（即ち、４つの高い点を持つ）か、トライローブ型（即ち、３つの高い点を持つ）か、楕円型（即ち、２つの高い点を持つ）等の形で与えられる。
【００１５】
にもかかわらず、ロックボルト１００のネジ付き部分１０４がマルチローブ型であって、高い点と低い点を持つという事実は、カラー１２０が、ロックボルト１０上にスエージ加工されると、振動して脱落しないようにする。これは、振動単独では、スエージ加工されたカラー１２０の低い点１２２（図１０参照）を、ロックボルト１００のマルチローブ型部分１０４の高い点１１４を超えて移動させるには、十分でないからである。同時に、ネジ付き部分１０４が実際にネジ付きでマルチローブ型であるという事実は、必要であれば、カラー１２０に対して十分なトルクを与える工具を使用して、カラー１２０を意図的に回転してロックボルト１００から取り外すことを可能にする。
【００１６】
図５〜７は、ロックボルト１００の設置を描いている。この設置プロセスは、図１〜４に示されたロックボルト１０を設置することに使用された設置プロセスと全く同様である。図５〜７に示されたロックボルト１００を設置するために、テクストロン・ファスニング・システムの水力−電子式パワーツールＴ３０型７３４１２−０２０００と、テクストロン・ファスニング・システムのハイドラパック(HydraPac)液圧式パワーユニットＨＰ２１型７３４０１−０２０００、ＨＰ４１型７３４００−０２０００又はＨＰ５１型７３４０４−０２０００が使用できる。この代わりに、いくつかの他の適切な設置工具が使用できる。
【００１７】
最初に、脆いピンテール１０６及びネジ付きシャフト１０４は、２以上のワークピース２８，３０に設けられた開口２４，２６を通して挿入され、そしてカラー１２０は、ボルト１００上に、ネジ付きシャフト１０４に近接して配置される。図８に示すように、カラー１２０は、最初にマルチローブ型又は多面の透孔１３０を有するように設けることができる。カラー１２０は、ロックボルト１００のマルチローブ型部分１０４のプロフィールに対応したプロフィールを持つ透孔１３０を有するように設けられることが好ましい。換言すれば、ロックボルト１００のマルチローブ型部分１０４が５つのローブ又は高い点を持つ場合（ＨＰ−５ネジのように）、カラー１２０は、同様に５つの高い点１３１を持つ透孔１３０を有するように設けられることが好ましい。カラー１２０がロックボルト１００のマルチローブ型部分１０４のプロフィールに対応したプロフィールを持つ透孔１３０を有するように設けられるという事実は、スエージ加工中のカラー１２０の均一な変形を与える。
【００１８】
加えて、カラー１２０がロックボルト１００のマルチローブ型部分１０４のプロフィールに対応したプロフィールを持つ透孔１３０を有するように設けられるという事実は、カラー１２０が設置に関して手助けできるようにする。具体的に、カラーは、ボルト上に配置され、そして僅かに回転される。この場合、締まりばめが部分１０４とカラーの透孔１３０との間に存在する。それから、設置ツールがピンテール１０６とカラー１２０に係合され、スエージ加工操作が行われる。この代わりに、カラー１２０は、図９に示すように、最初に円筒形や他の形状の透孔１３０を持つように設けられる。
【００１９】
にもかかわらず、設置ツール１４０は、図５に示すように、カラー１２０と脆いピンテール１０６に係合される。具体的に、図６に示すように、設置ツール１４０のジョー１４２は、ピンテール１０６を把持して、引っ張る。このとき、設置工具１４０のアンビル１４４は、カラー１２０を押し下げて、カラー１２０がボルト１００上にスエージ加工されるようにする。このスエージ加工によって、カラー１２０は変形して、ボルト１００のマルチローブ型ネジ付き部分１０４に概ね組み付く（図１０は、ロックボルト１００のマルチローブ型部分１０４上にスエージ加工されたカラー１２０の（断面図と同様の）図を与えている）。
【００２０】
設置工具１４０は、カラー１２０の一部分１５０だけをネジ付き部分１０４上にスエージ加工することが好ましい（図６参照）。この場合、残りの部分１５２はスエージ加工されないまま残る。これは、アセンブリの組立及び製造を容易にするためである。カラー１２０のスエージ加工されていない部分１５２は、６角輪郭表面１５４を有することが好ましい。この場合、標準６角工具を使用して、後にカラー１２０を取り外すことができる。カラー１２０がスエージ加工されると、ピンテール１０６は、図７に示すように、それが壊れるまで、継続して引かれて、ワークピース２８，３０内に設置され且つカラー１２０によって固定されたボルト１００を残す。ロックボルトが脆いピンテールを有しないタイプとして与えられる場合も同様に、カラーがスエージ加工されるときに、ボルトのネジ付き部分は把持され、引っ張られる。そして、カラーが十分にスエージ加工されると、ボルトは解放される。
【００２１】
カラー１２０がロックボルト上にスエージ加工され、且つロックボルト１００が完全に設置され、カラー１２０によって固定されると、カラー１２０は、ネジ付き部分１０４のマルチローブ型プロフィールによって、振動して脱落することがないようになる。具体的に、振動単独は、図１０に示すように、カラー１２０の低い点１２２がロックボルト１００のマルチローブ型部分１０４の高い点１１４を乗り越えることができるようにはしない。換言すれば、部分１０４のマルチローブ型プロフィールは、振動に応答した回転に抵抗しようとする所定量の有力トルクを与える。同時に、十分なトルクを与える工具を使用することによって（例えば、表面１５４に対しトルクを与える６面工具を使用することによって）、カラー１２０を意図的に単に取り外すことができる。この場合、カラー１２０の低い点１２２は、ロックボルト１００のマルチローブ型部分１０４の高い点１１４を乗り越える。
【００２２】
カラー１２０がロックボルト１００上にスエージ加工されると、カラー１２０の意図的な取り外し（即ち、工具を使用したカラー１２０の回転）は、カラーの透孔１３０内にネジが形成されるようにする。カラー１２０内に形成されたネジは、カラー１２０が意図的にロックボルト１００のネジ付き部分１０４から取り外された後に、容易にカラー１２０を回転してその上に戻すことができるようにする。カラー１２０を回転してロックボルト１００上に戻した後は、次の点が期待される。即ち、ロックボルトのネジ付き部分１０４がマルチローブ型であるという事実は、ロックボルト１００のネジ付き部分１０４が標準螺旋ネジによって螺旋状にネジ付けされるように設けられる場合のように、つまり従来技術（即ち、図１〜４に示されたロックボルト１０）で設けられているように、カラー１２０が振動して脱落してしまうことがないようにする、という点である。換言すれば、部分１０４が標準螺旋ネジを有する場合に与えられるものを超えて存在する所定量の有力トルクがあるということである。
【００２３】
６角工具でのカラー１２０の取り外しを容易にするために、カラー１２０には初めから６角表面１５４が設けられていることが好ましいと上述したが、カラー１２０はまたそのような表面なしに設けることができる。そのような表面は、スエージ加工操作中に、設置工具１４０のアンビル１４４によってカラー１２０に形成され得る。
【００２４】
図１１は、本発明の代替実施形態に係るロックボルト２００を描いている。このロックボルト２００は、図５〜７に示されたロックボルト１００と良く似ている。唯一の違いは、脆いピンテール２０２が環状リブを有せずに、ロックボルト２００（又はロックボルト１００）のマルチローブ型部分１０４と同様のマルチローブ型ネジ付きプロフィールを与える点である。このようにして、最終的にカラーを受け入れるロックボルトの部分１０４と、ピンテール部分２０２の双方が、同じネジ形成プロセスを使用して、同時にネジ切りされ得る。その代わりに、ピンテールは、螺旋状の非ローブ型ネジを持つように設けることができる。
【００２５】
上記で論じたように、ロックボルトは、脆いピンテールを持たないように与えられる。この場合、ボルトのネジ付き部分は、カラーがロックボルト上へスエージ加工されるときに把持され、引っ張られる。そして、カラーがスエージ加工されると、ボルトは解放される。図１２〜１６は、本発明の実施形態に係るシステムを使用したそのようなスエージ加工操作を描いている。図１２〜１６に示されたロックボルト３００は、図８〜１０に関連して上述されたように、マルチローブ型又は多面のネジ付き部分３０２を有することが好ましい、と理解されるべきである。加えて、カラー３０４は、ロックボルト３００のマルチローブ型部分３０２のプロフィールに対応したプロフィールを持つ透孔３０６を有するように与えられることが好ましい。
【００２６】
にもかかわらず、このシステムは、ノーズピース３１２を有するノーズピースシステム３１０を提供する。このノーズピースは、スエージ加工操作中に、カラー３０４の底部分３１８を受け入れるための凹部３１４をその端部３１６に有する。ノーズピース３１２は、概ね円筒形であって、内部透孔３２０を有する。この内部透孔３２０は、第１のセクション３２２を有し、この第１のセクションは、第２のセクション３２４よりも大きな内径である。外側スリーブ３２６は、第１の、大きな内径セクション３２２に配設され、また外側スリーブ３２６は、概ね円筒形であって、内部透孔３２８を有する。外側スリーブ３２６の端部３３０は、（図１２に矢印３３４によって表されているように）ピストンに螺合可能に取り付けるための内部ネジ３３２を有する。具体的に、外側スリーブ３２６は、例えば、上記で識別された工具のいずれかのピストンに係合される。即ち、テクストロン・ファスニング・システムの水力−電子式パワーツールＴ３０型７３４１２−０２０００と、テクストロン・ファスニング・システムのハイドラパック液圧式パワーユニットＨＰ２１型７３４０１−０２０００、ＨＰ４１型７３４００−０２０００又はＨＰ５１型７３４０４−０２０００が使用できる。この代わりに、いくつかの他の適切な設置工具が使用できる。
【００２７】
内側スリーブ３３６は、外側スリーブ３２６内に配設され、そして内側スリーブ３３６の端部３３８は、孔３４０を有し、その中にスプリング３４２が配設される。内側スリーブ３３６は、スナップリング３４４によって外側スリーブ３２６内に保持され、そして内側スリーブ３３６の端部３３８は３つのジョー３４８の組に接触する。ジョー３４８は、内側スリーブ３３６内に配設された拡大肩部３５０を有し、そしてジョー３４８は、外側スリーブ３２６の端部３５４内の開口部３５２を通して、ノーズピース３１２の透孔３２０の第２の、小径セクション３２４内へ延びている。ジョー３４８の各々は、端部分３５６を有する。この部分は、内部ネジ付きであって、好ましくはロックボルト３００のネジ付き部分３０２上のネジ部と対応するネジ３５８を持つ。ジョー３４８は、ノーズピース３１２に対し効果的に並進可能であるが、ノーズピース３１２に対して非回転的であるように構成されている。
【００２８】
図示のように、ピン３６０は、概ね３つのジョー３４８の間に配設されている。具体的に、ピン３６０の拡大ヘッド部分３６２は、内側スリーブ３３６の孔３４０内に概ね保持され、そしてピン３６０のシャンク部分３６４は、３つのジョー３４８の間に設けられた空間３６６を通して延びている。ピン３６０のヘッド３６２は、概ね内側スリーブ３３６内に保持される。これは、ピン３６０のヘッド３６２に近接したジョー３４８の端部３６８に近接したジョー３４８間の空間３３６が小さ過ぎて、ピン３６０のヘッド３６２がジョー３４８間の空間内へ進むことができないという事実に起因している。この代わりに、ピン３６０のヘッド３６２は、概ね内側スリーブ３３６の孔３４０内に保持されると共に概ねその中を並進して、スプリング３４２によって与えられる圧縮力を受けることができる。
【００２９】
使用時に、ノーズピースアセンブリ３１０は、図１２に示すように、最初に完全に開放姿勢にあって、ジョー３４８と、ピン３６０と、両スリーブ３２６及び３３６は、ノーズピース３１０に対して十分前方にある。それから、図１３に示すように、ノーズピースアセンブリ３１０は、ロックボルト３００及びカラー３４０に対して（矢印３８０によって表されているように）前方に移動され、そしてピン３６０は、ロックボルト３００の端部３７０と接触する。これにより、ピン３６０を（ノーズピース３１２の端部３１６に対して）後方へ移動させると共に、スプリング３４２を圧縮する。このとき、ジョー３４８の内部ネジ付き部分３５８は、ロックボルト３００のネジ付き部分３０２に近接して位置決めされる。
【００３０】
図１４に示すように、外側スリーブ３２６が螺合可能に係合された工具が作動されたときに、外側スリーブ３２６は、（ノーズピース３１２の端部３１６に対して）後方へ移動して、ジョー３４８を内側に（即ち、互いに向かって）移動させると共にロックボルト３００のネジ付き部分３０２上にクランプさせる。ロックボルト３００のネジ付き部分３０２に螺合するのとは対照的に、ジョー３４８は、ロックボルト３００のネジ付き部分３０２上に一緒に集まることによって、クランプ式係合を達成する。ノーズピース３１２は、カラー３０４の上部３７２に接触して、カラー３０４及びロックボルト３００上でそれぞれプッシュプル動作を（矢印３８２によって表されているように）開始する。図１５に示すように、外側スリーブ３２６が完全後退位置に達するまで、プッシュプル動作が（矢印３８２によって表されているように）続くと、カラー３０４はロックボルト３００上にスエージ加工された状態になり、これにより２つのワークピース３７３，３７６を一緒にクランプする。ノーズピースアセンブリ３１０が係合される工具は、シリンダ圧力によって制御される所定のクランプ力で止まるように構成されていることが好ましい。図１６に示すように、所望のクランプ力に到達した後に、工具は、ピストンの方向を（矢印３８４によって表されているように）反転して、外側スリーブ３２６の端部３５４がノーズピース３１２の端部３１６に向かって移動するようにする。この動作は、ノーズピース３１２が、図１２に示すような完全開放姿勢になるまで継続する。その時以降、プロセスは繰り返されて、もう１つのカラーをもう１つのロックボルト上にスエージ加工することができる。
【００３１】
上述したように、米国特許第５，３１５，７５５号は、脆いピンテールを持たないロックボルト上にカラーをスエージ加工するための工具を開示している。しかしながら、この工具は、複雑で、部品が多すぎ、しかも失敗し易い。図１２〜１６に示されたノーズピースアセンブリ３１０は、より単純で、部品が少なく、従って失敗しにくいものである。更に、米国特許第５，３１５，７５５号に示された工具は、マルチローブ型又は多面のネジ付き部分を持つロックボルトで使用するように構成されてはいない。それとは対照的に、図１２〜１６に示されたノーズピースアセンブリ３１２は、そのようなロックボルトや標準ロックボルトで使用することができる。
【００３２】
本発明の実施形態が図示され説明されてきたが、当業者は開示の精神及び範囲を逸脱することなしに、本発明の種々の変形を工夫することが想像される。
【図面の簡単な説明】
【００３３】
【図１】ヘッドと、螺旋状のネジ付きシャフト部分と、脆いピンテールとを有する従来技術のロックボルトを描き、螺旋状のネジ付きシャフト部分付近に位置決めされたスエージ加工前のカラーを示している。
【図２】図１に示されたロックボルトの設置を描いている。
【図３】図１に示されたロックボルトの設置を描いている。
【図４】図１に示されたロックボルトの設置を描いている。
【図５】本発明の実施形態に係るロックボルトの設置を描いている。
【図６】本発明の実施形態に係るロックボルトの設置を描いている。
【図７】本発明の実施形態に係るロックボルトの設置を描いている。
【図８】スエージ加工前のロックボルトとカラーの（断面図と同様の）図を与えている。この場合、カラーは、多面孔を有するものとして与えられている。
【図９】図８と同様であるが、カラーが円筒孔を有するものとして与えられた状況を示している。
【図１０】スエージ加工後のロックボルトとカラーの（断面図と同様の）図を与えている。
【図１１】本発明の代替実施形態に係るロックボルトの斜視図である。
【図１２】本発明の実施形態に係るシステムを使用したピンテールレスロックボルト上へのカラーのスエージ加工を描いている。
【図１３】本発明の実施形態に係るシステムを使用したピンテールレスロックボルト上へのカラーのスエージ加工を描いている。
【図１４】本発明の実施形態に係るシステムを使用したピンテールレスロックボルト上へのカラーのスエージ加工を描いている。
【図１５】本発明の実施形態に係るシステムを使用したピンテールレスロックボルト上へのカラーのスエージ加工を描いている。
【図１６】本発明の実施形態に係るシステムを使用したピンテールレスロックボルト上へのカラーのスエージ加工を描いている。
【図１】
2008518162.tif 000002
【図２】
2008518162.tif 000003
【図３】
2008518162.tif 000004
【図４】
2008518162.tif 000005
【図５】
2008518162.tif 000006
【図６】
2008518162.tif 000007
【図７】
2008518162.tif 000008
【図８】
2008518162.tif 000009
【図９】
2008518162.tif 000010
【図１０】
2008518162.tif 000011
【図１１】
2008518162.tif 000012
【図１２】
2008518162.tif 000013
【図１３】
2008518162.tif 000014
【図１４】
2008518162.tif 000015
【図１５】
2008518162.tif 000016
【図１６】
2008518162.tif 000017